【事件の表示】
　特願２０１４−１６０３６８「作業用スーツ」拒絶査定不服審判事件〔平成２８年３月２２日出願公開、特開２０１６−３８６６５〕について、次のとおり審決する。
【結　論】
　本件審判の請求は、成り立たない。
【理　由】
第１　手続の経緯
　本願は、平成２６年８月６日の出願であって、手続の経緯は以下のとおりである。
　平成３０年９月２７日付け　　　拒絶理由通知
　平成３０年１２月６日　　　　　意見書及び手続補正書の提出
　令和元年５月８日付け　　　　　拒絶査定
　令和元年８月１３日　　　　　　本件審判請求、同時に手続補正書の提出
第２　本願発明
　本願の特許請求の範囲の請求項２に係る発明（以下「本願発明」という。）は、令和元年８月１３日にされた手続補正により補正された特許請求の範囲の請求項２に記載された事項により特定されるとおりのものである。
　なお、上記令和元年８月１３日にされた手続補正は、本願特許請求の範囲の請求項３のみを補正するものであり、請求項２は実質的な補正はされていない。
「【請求項２】
　作業員に装着される作業用スーツであって、
　前記作業員の状態を感知する状態センサーと、
　前記状態センサーから出力される状態データを、前記作業員に携帯される多機能携帯端末に無線送信する送信部と、を備え、
　前記状態データが、前記多機能携帯端末を介して、管理サーバーに送信され、
　前記状態センサーは、前記作業員の健康状態を感知するセンサーであり、
　前記作業員の健康状態を示す前記状態データが、前記多機能携帯端末を介して、前記管理サーバーに送信され、
　受信部、及び、報知部を備え、
　前記管理サーバーが、前記作業員の健康状態を示す前記状態データに基づき、前記作業員に健康異常が発生していると判断し、健康異常の発生を示す異常データを前記多機能携帯端末に送信した場合、
　前記異常データが前記多機能携帯端末から前記受信部に無線送信され、前記報知部が、健康異常の発生を報知すること、
　を特徴とする作業用スーツ。」
２．　原査定の拒絶の理由
　原査定の拒絶の理由の概要は、以下の（１）及び（２）に示したとおりのものである。
（１）　本願発明は、引用文献１に記載された発明であるから、特許法第２９条第１項第３号の規定により、特許を受けることができない。
（２）　本願発明は、本願の出願日前に頒布された又は電気通信回線を通じて公衆に利用可能となった下記の引用文献１に記載された発明に基いて、その出願前にその発明の属する技術の分野における通常の知識を有する者（以下「当業者」という。）が容易に発明をすることができたものであるから、特許法第２９条第２項の規定により特許を受けることができない。
　　　　　　　　　　　　　　　　記
引用文献１：米国特許出願公開第２０１４／０１３５６４４号明細書
３．　引用文献
（１）　引用文献１に記載された事項
　原査定の拒絶の理由に引用された本願出願前に頒布された刊行物である上記引用文献１には、次の事項が記載されている。なお、日本語訳は当審が付した。
ア．　「［0010］The foregoing and/or other features and utilities of the present general inventive concept are achieved by providing a wearable device that a user wears on a body of the user, including a brainwave measuring sensor to measure a brainwave of the user, an environment information sensor to sense surrounding environment information, a vibrator to generate vibrations, a display device to display a message, a communicator to transmit sensed values of the brainwave measuring sensor and the environment information sensor to an external device and to receive a control signal from the external device, and a controller to control operations of the vibrator and the display device based on at least one of the sensed value of the brainwave measuring sensor, the sensed value of the environment sensor, and the control signal.」
（［0010］　本発明の一般的発明概念の上記および/または他の特徴及び有用性は、ユーザの体にユーザが装着する装着型装置は、ユーザの脳波を計測する脳波計測用センサを設けることにより達成され、周囲の環境情報を検知する環境情報センサであり、振動子は、振動を生成するために、メッセージ、脳波測定センサと環境情報センサの検知された値を外部装置に送信し、外部装置からの制御信号を受信する通信部と、振動子の動作および脳波計測用センサの検出値と、環境センサの検出値、及び制御信号の少なくとも1つに基づいて、前記ディスプレイ装置を制御するための制御部を表示するための表示装置である。）
イ．　「［0048］　FIG. 1 is a block diagram illustrating a structure of a wearabledevice 100 according to an exemplary embodiment of the present general inventive concept. The wearable device 100 refers to a device that is formed of a flexible material and that a user may wear. For example, the wearable device 100 may be various types of wearable devices that humans or animals may wear on their bodies, such as clothes, shoes, glasses, hats, accessories, etc., but is not limited thereto. Hereinafter, a wearable device that may include a shape of clothes will be described, but is not limited to this type. Therefore, the wearable device 100 may include various types.
［0049］Referring to FIG. 1, the wearable device 100 includes a brainwave measuring sensor 110, an environment information sensor 120, a controller 130, a vibrator 140, a display device 150, and a communicator 160.」
（［0048］　図1は、本発明の一実施形態による、装着型装置100の構成を示すブロック図である。装着型装置100は、可撓性材料で形成されており、ユーザが着用することができるデバイスを指す。例えば、装着型装置100は、ヒトまたは動物は、それらの身体、衣服、靴、眼鏡、帽子、アクセサリなどに装着することができる様々なタイプの着用可能なデバイスであってもよいが、これに限定されるものではない。以下に、衣服の形状を含むことができる装着型装置について説明するが、これに限定されるものではない。したがって、装着型装置100は、様々なタイプを含むことができる。
［0049］　図1を参照すると、装着型装置100は、脳波測定センサ110と、環境情報センサ120、制御部130、振動子140、表示装置150、および通信部160を有する。）
ウ．　「［0051］　The brainwave measuring sensor 110 measures an electrical signal of a brain of a user received from an electrode attached onto a head of the user. In detail, the brainwave measuring sensor 110 detects a current flowing on a scalp surface of the user. A detected brainwave includes a Delta wave, a Theta wave, Alpha wave, a Beta wave, a Gamma wave, etc. The brainwave measuring sensor 110 provides the sensed brainwave signal to the controller 130. The brainwave measuring sensor 110 may extract the brain wave in a non-analgesic method or a non-bonding method by using a silver fiber electrode installed on the head of the user. The brainwave measuring sensor 110 removes a noise signal different from a blink signal from the brainwave signal and outputs the resulting signal. The controller 130 determines a concentration, a laxity, a consciousness or an unconsciousness, etc. of the user based on the resulting signal.
［0052］　The environment information sensor 120 senses surrounding environment information. The surrounding environment information refers to various types of information through which a surrounding environment of the user may be determined. In detail, the environment information sensor 120 includes at least one or more of various types of sensors such as a temperature sensor, a humidity sensor, an illuminance sensor, an oxygen amount sensor, a poisonous gas amount sensor, a radioactivity sensor, etc. Therefore, the environment information sensor 120 may sense various types of surrounding environment information such as a temperature, humidity, illuminance, an oxygen amount, a poisonous gas amount, a radioactivity amount, etc. A poisonous gas may be various types of harmful gases such as a methane gas, carbon monoxide, etc. The environment information sensor 120 provides the sensed surrounding environment information to the controller 130.」
（［0051］　脳波センサ110は、ユーザの頭に取り付けられた電極から受信されたユーザの脳の電気信号を測定する。具体的には、脳波センサ110がユーザの頭皮表面に流れる電流を検出する。検出された脳波のデルタ波、シータ波、α波、β波、γ波等を含む。脳波センサ110は、検出された脳波信号を制御部130に提供する脳波センサ110は、ユーザの頭部に装着された銀電極を用いて非鎮痛方法または非結合方法で脳波を抽出することができる。脳波センサ110は、脳波信号から瞬き信号からノイズ信号を除去した信号を出力する。制御部130は、得られた信号に基づいてユーザの濃度、弛緩、意識消失または意識喪失などを決定する。
［0052］　環境情報センサ120は、周囲の環境情報を検知する。周辺環境情報は、ユーザの周囲環境を決定することができる様々なタイプの情報を指す。具体的には、環境情報センサ120は、温度センサ、湿度センサ、照度センサ、酸素センサ、ガスセンサ、放射能センサなどの各種のセンサのうち、少なくとも1つ以上を含む物質であり、環境情報センサ120は、温度、湿度、照度、酸素量、有毒ガス量、放射能量などの環境情報の種類を検知することができる。有毒ガスは、メタンガス、一酸化炭素等の有害ガスの様々なタイプであってもよい。環境情報センサ120は、検知した周囲の環境情報を制御部130に提供する。）
エ．　「［0054］　The display device 150 displays various types of messages. The display device 150 may be realized as a liquid crystal display (LCD) panel, a light-emitting diode (LED) array, etc., but is not limited thereto
［0055］　The communicator 160 communicates with various types of external devices 400. In detail, the communicator 160 transmits sensing values of the brainwave measuring sensor 110 and the environment information sensor 120 to an external device 400 and receives various types of signals from the external device 400. The communicator 160 may perform communications by using a communication method set with respect to the wearable device 100 among various types of communication methods such as Bluetooth, Zigbee, near field communication (NFC), radio frequency (RF) wireless communication standards, etc.
［0056］If it is determined that the user wearing the wearable device 100 is in a dangerous state, the controller 130 warns the user of the dangerous state. Whether the user is in the dangerous state may be determined by the controller 130 or by the external device 400. In other words, the controller 130 controls operations of the vibrator 140 and the display device 150 based on the sensing value of the brainwave measuring sensor 110, the sensing value of the environment information sensor 120, a control signal transmitted from the external device 400, etc., but is not limited thereto.
［0057］　According to an exemplary embodiment of the present general inventive concept, if at least one of the sensing value of the brainwave measuring sensor 110 and the sensing value of the environment information sensor 120 meets a preset danger condition, the controller 130 may control the operations of the vibrator 140 and the display device 150 to warn the user of the dangerous state.」
（［0054］　表示装置150は、各種のメッセージを表示する。表示装置150は、液晶表示(LCD)パネル、発光ダイオード(LED)アレイなどとして実現され得るが、これに限定されるものではない。
［0055］　通信部160は、各種外部装置400と通信する。具体的には、通信部160は、脳波センサ110と環境情報センサ120の検出値を外部装置400に送信する、外部装置400からの各種信号を受信する。通信部160は、ブルートゥース、Zigbee(登録商標)、近距離無線通信(NFC)、無線周波数(RF)ワイヤレス通信規格等の通信方法のうち、装着型装置100に対して設定した通信方法を用いて通信を行うようにしてもよい。
［0056］　なお、装着型装置100を装着したユーザが危険状態であると判定された場合、制御部130は、危険な状態をユーザに警告する。ユーザが危険な状態にあるか否かは、制御部130によって、または外部装置400によって決定されてもよい。すなわち、制御部130は、脳波センサ110の検出値と、環境情報センサ120の検出値、外部装置400から送信された制御信号等に基づいて、振動子140および表示装置150の動作を制御するが、これに限定されるものではない。
［0057］本発明の一実施形態によると、脳波計測用センサ110の検出値と、環境情報センサ120の検出値の少なくとも1つが所定の危険条件を満たしている場合、制御部130は、振動子140及び表示装置150の動作を制御して危険な状態をユーザに警告することができる。）
オ．　「［0059］　When environment information is transmitted to the communicator 160,a situation in which a temperature, humidity, an oxygen amount, a poisonous gas amount, a radioactivity level, or the like goes into a dangerous level may be set to the dangerous condition. If at least one of these environment information pieces goes into the dangerous condition, the controller 130 determines this situation as a dangerous state.」
（［0059］　この環境情報は、通信部160に送信されると、危険な条件に設定することで、温度、湿度、酸素量、有毒ガス量、放射能レベル等を危険なレベルになる可能性がある。これらの環境情報のうちの少なくとも一つには、危険な状態になった場合に、制御部130は、当該状態が危険な状態であると判定する。）
カ．　「［0061］　According to another exemplary embodiment of the present general inventive concept, the controller 130 may transmit the sensing values of the brainwave measuring sensor 110 and the environment information sensor 120 to an external managing device 200, as illustrated in FIG. 2 . The external managing device 200 may determine whether the user is in the dangerous state, based on the sensing values transmitted from the wearable device 100 and, if it is determined that the user is in the dangerous state, transmit a control signal to inform the user of the dangerous state. If the control signal is received,the controller 130 may control operations of the vibrator 140 and the display device 150 to provide a warning message and vibrations.」
（［0061］　本発明の他の実施形態によれば、制御部130は、脳波センサ110と環境情報センサ120の検出値を外部の管理装置200へ、図2に示すように外部の管理装置200は、ユーザが危険な状態にあるかどうかを決定するため、装着型装置100から送信されたセンシング値に基づいてもよいし、ユーザが危険状態であると判定された場合、制御信号を送信することが危険な状況をユーザに通知する。制御信号が受信された場合、制御部130は、振動子140及び表示装置150の動作を制御するための警告メッセージを提供することができる。）
キ．　「［0064］　If it is determined that the brainwave of the user is in an abnormal state, i.e., the user falls unconscious, the controller 130 generates a warning message and vibrations together and informs the external managing device 200 of a dangerous situation.The external managing device 200 informs an emergency center, a hospital, a manager, a terminal device of a surrounding worker, etc., that the user wearingthe wearable device 100 is in a dangerous situation. Therefore, even when the user falls unconscious, the user may be rapidly rescued.
［0065］　According to another exemplary embodiment, the controller 130 may determine whether the user is in the dangerous situation, based on the sensing values of the brainwave measuring sensor 110 and the environment information 120. The controller 130 may transmit the sensing values to the external managing device 200 separately from the determination to enable the external managing device 200 to determine whether the user is in the dangerous situation. If it is determined that the user is in the dangerous situation or a control signal is received from the external managing device 200, the controller 130 may provide a warning message and vibrations. Therefore, although the controller 130 of the wearable device 100 malfunctions, the dangerous situation may be dually checked by the external managing device 200.
［0066］　FIG. 2 is a view illustrating an appearance structure of a wearable device 100 according to an exemplary embodiment of the present general inventive concept. The wearable device 100 may be realized as an all-in-one suit that covers a user from a body part of the user to a head of the user or as a suit that is divided to separately cover the head and the body part. In FIG. 2 , the wearable device 100 is divided into a head part and a body part. Referring to FIG. 2 , the wearable device 100 includes a first body part that a user wears on the head and a second body part 102 that the user wears on an upper body. As illustrated in FIG. 2 , if the wearable device 100 is divided into the first and second body parts 101 and 102, components of the wearable device 100 are distributed in the first and second body parts 101 and 102. As such, the elements disposed in the first and second body parts 101 and 102 may be connected to one another through a wire or wireless interface.」
（［0064］　なお、ユーザの脳波が異常状態であると判定する、すなわち、ユーザが意識不明の場合、制御部130は、警告メッセージを生成し、併せ振動、危険な状態で外部の管理装置200に通知する。外部の管理装置200は着用型装置100を着用したユーザは、危険な状態であることを、病院管理者、周辺の作業者の端末装置等、緊急センタに通知する。したがって、使用者が意識を失った場合でも、ユーザは、速やかに救出することができる。
［0065］　別の例示的な実施形態によれば、制御部130は、ユーザが危険な状態にあるかどうかを判断するため、脳波センサ110および環境情報120の検出値に基づいてもよい。制御部130は、別に、前記検知値を外部の管理装置200に送信するようにし、外部の管理装置200は、ユーザが危険な状態にあるかどうかを決定することを可能にする。なお、ユーザが危険な状態にある、または外部の管理装置200からの制御信号が受信されたと判定された場合、制御部130は警告メッセージを提供することができる。したがって、装着型装置100の制御部130に障害が発生するけれども、危険な状況は、外部の管理装置200により二重に監視されてもよい。
［0066］　図2は、本発明の一実施形態による、装着型装置100の外観構成を示す図である。また、装着型装置100は、ユーザの頭部にユーザの体の一部を覆うオールインワンスーツ、または、頭部および胴部をそれぞれ覆う別々に分割されているスーツとして実現されてもよい。図2において、装着型装置100は、ヘッド部と胴体部とに分割されている。図2を参照すると、装着型装置100は、ユーザーが頭部に装着する第1部分と、ユーザが上半身に装着する第2部分102を含む。図2に示すように、もし第1部分101及び第2部分102に分割されている場合、装着型装置100の構成要素は、第1部分101及び第2部分102に分配される。このように、第1部分101および第2部分102内に配置された要素は、有線または無線のインタフェースを介して相互に接続されてもよい。
［0067］　第1部分101は、帽子、ヘアバンド、ヘアピン、眼鏡、ヘッドセット、などであってもよい。第1部分101内に配置されている脳波センサ110である。脳波センサ110はワイヤを介して使用者の頭部に接続されることで、ユーザーの頭部に装着されてもよい。環境情報センサ120は、図2の第1部分101に設けられているが、様々な位置に配置することができる。具体的には、第1部分101には、呼吸装置の周囲に配置することができる酸素量やガスの量を感知するセンサ、温度センサ、または放射能センサは、第2部分102の接地表面に最も近い位置に配置されてもよい。）
ク．　「［0069］The display device 150 may be disposed in a position that is easily seen by the user. In FIG. 2 , the display device 150 is disposed in one arm position in the second body part 102. If plurality of display devices 150 is disposed, the plurality of display devices 150 may be disposed in both arm positions. FIG. 3 is a view illustrating a warning message displayed through the display device 150 according to an exemplary embodiment of the present general inventive concept. Referring to FIG. 3 , the display device 150 may be disposed in an arm part to display a warning message, various types of notification messages, graphing images, etc., but is not limited thereto.
［0070］　Referring to FIG. 2, the wearable device 100 may further include various types of additional elements such as an output device 170, a sensor 180, a timer 190, etc. in addition to the brainwave measuring sensor 110, the environment information sensor 120, the vibrator 140, and the display device 150. The output device 170 outputs a notification signal to notify other users of an existing emergency situation of the user, the sensor 180 senses a remaining amount of a medium necessary the user to survive, and the timer 190 counts time.
［0071］　Since the output device 170 informs other users of the existence of the user in an emergency situation, the output device 170 is disposed in a position in which the other users may easily recognize the wearable device 100. In the exemplary embodiment of FIG. 2 , the output device 170 is disposed on a back part of the second bodypart 102. The output device 170 may include an LED array. If a preset event occurs, the controller 130 causes flickering lights of an LED of the output device 170 to inform the other users that the user is in a dangerous situation.・・・）
（［0069］　表示装置150は、ユーザが見やすい位置に配置されてもよい。図2において、表示装置150は、第2部分102の一方のアームに配置されている。複数の表示装置150が配置されている場合には、複数の表示装置150は、両腕の位置に配置されてもよい。図3は、本発明の一実施形態に係る表示装置150を介して表示される警告メッセージを示す図である。図3を参照すると、表示装置150は、警告メッセージ、通知メッセージ、グラフ、画像等を表示する腕部に配置されてもよいが、これに限定されるものではない。
［0070］　図2を参照すると、装着型装置100は、さらに、脳波センサ110と、環境情報センサ120と、振動子140と、表示装置150と、出力装置170と、センサ180と、タイマ190等のような付加的要素の様々なタイプを含むことができる。出力装置170は、ユーザの現在の緊急状況を他のユーザに通知するために通知信号を出力し、センサ180は、ユーザが必要な媒体の残量を検知して生存し、タイマー190は時間をカウントする。
［0071］　出力装置170は、緊急状態においてユーザの存在を他のユーザに知らせるため、出力装置170は、他のユーザの装着型装置100を容易に認識することができる位置に配置されている。図2の例示的な実施形態において、出力装置170は、第2部分102の背面部に配置されている。出力装置170は、LEDアレイを含むことができる。予め設定されたイベントが発生した場合、制御部130は、ユーザが危険な状態であることを出力装置170のLEDの点滅光が、他のユーザに通知するものである。・・・）
ケ．　「［0102］　FIG. 10 is a block diagram illustrating a structure of the managing device 200 according to an exemplary embodiment of the present general inventive concept. Referring to FIG. 10 , the managing device 200 includes a communicator 210, a controller 220, and a storage device 230.
［0103］　The communicator 210 receives brainwave information and surrounding environment information from a wearable device including various types of elements such as a brainwave measuring sensor, an environment information sensor, a vibrator, a display device, etc. The communicator 210 may include at least one of various types of chips such as a WiFi chip, a Bluetooth chip, a near field communication (NFC) chip, a wireless communication chip, etc. If the communicator 210 uses the WiFi chip or the Bluetooth chip, the communicator 210 may transmit and receive various types of connection information such as a subsystem identification (SSID), a session key, etc. with the wearable device to transmit and receive various types of information, a command, etc., with the wearable device after a communication connection. The wireless communication chip performs a communication according to various communication standards such as Institute of Electrical and Electronics Engineers (IEEE), Zigbee, 3rd Generation (3G), 3rd Generation Partnership Project (3GPP), Long Term Evolution (LTE), etc.
［0104］　The storage device 230 stores programs such as Operating System (O/S) software, various types of applications, etc. to drive the managing device 200, various types of data input or set when executing the programs, and various types of data such as dangerous condition information, etc. In detail, the storage device 230 storesa program to manage a status of a user.
［0105］　The controller 220 executes the program stored in the storage device 230 to analyze a bio-signaland surrounding environment information received from the wearable device in order to manage a status of a worker. In detail, the controller 220 comparesthe brainwave information and the surrounding environment information received through the communicator 210 with a dangerous condition to determine whether the user is in a dangerous state. If it is determined that the user is in the dangerous state, the controller 220 generates a control signal to generate a warning message and a vibration signal and transmits the control signal to the wearable device through the communicator 210.
［0106］　The controller 220 may accumulate and manage information and statuses of users sensed by respective wearable devices. The managing device 200 may provide information that the managing device 200 manages, to a web server. Therefore, the managing device 200 may provide information about respective workers to a third person or a manager. The manager may check information about a worker in a workingenvironment online at any time and at any location.
［0107］　The managing device 200 illustrated in FIG. 10 may be a user terminal device such as a portable phone or a tablet PC or may be realized as all-in-one managing device that manages a plurality of wearable devices.」
（［0102］　図10は、本発明の一実施形態に係る管理装置200の構成を示すブロック図である。図10を参照すると、管理装置200は、通信部210と、制御部220と、記憶装置230とを備えている。
［0103］　通信部210は、脳波計測センサ、環境センサ、表示装置など、様々な種類の要素を有する装着型装置からの脳波情報や周辺環境情報を受信する。通信部210は、WiFi、ブルートゥース、NFC(Near Field Communication)チップ、無線通信チップなど、チップの種々のタイプのうちの少なくとも1つを含むことができる。通信部210は、WiFiチップまたはブルートゥースチップを使用する場合、通信部210は該装着型装置とサブシステム識別子(SSID)、セッションキー等の接続情報の様々なタイプを送受信する各種情報、コマンド等を送受信し、通信接続後に着用可能な装置とすることができる。無線通信チップは、Institute of Electrical and Electronics Engineers(IEEE)、Zigbee(登録商標)、第3世代(3G)、第3世代パートナーシッププロジェクト(3GPP)、ロング・ターム・エボリューション(LTE)等のような、様々な通信規格に従った通信を行う。
［0104］　記憶装置230は、管理装置200がプログラムを実行するときに、入力又は設定された種々のデータのタイプ、および危険な状態情報などの種々のタイプのデータを駆動するためにオペレーティング・システム(O/S)ソフトウェア、各種のアプリケーション等のプログラムが格納される。具体的には、記憶装置230は、ユーザの状態を管理するためのプログラムを記憶している。
［0105］　作業者の状態を管理するために、制御部220は、記憶装置230に記憶されているプログラムを実行することにより、装着型装置から受信した生体信号及び周囲環境情報を解析する。具体的に、制御部220は、脳波情報を、通信部210を介して受信した周辺環境情報とを比較して危険な状態をユーザが危険な状態にあるか否かを判定する。なお、ユーザが危険状態であると判定された場合、制御部220は、制御信号が警告メッセージと振動信号を生成し、通信部210を介して制御信号をウェアラブル端末に送信する。
［0106］　制御部220は、それぞれの装着型装置により感知されるユーザの情報や状態を蓄積し管理することができる。管理装置200は、管理装置200が管理する情報を、Webサーバに提供することができる。このため、管理装置200は、第3者あるいは管理者に個々の従業員についての情報を提供することができる。管理者は、任意の時間にオンラインで及び任意の場所で作業環境において作業者の情報を確認することができる。
［0107］　図10に示す管理装置200は、携帯電話またはタブレットPCのようなユーザ端末装置であってもよいし、複数の装着型装置端末を管理する複合管理装置として実現されてもよい。）
コ．　「［0110］The above-described wearable device may further include various types of sensors such as a sensor to sense an electrocardiogram (ECG), an electromyogram (EMG) sensor, etc. Various types of elements, such as various types of sensors, a controller, a display device, a communicator, etc. attached to a wearable device, may be realized as shapes that are attached to or detached from the wearable device. Alternatively, the wearable device may be realized as a bag-shaped module that a user may carry.」
（［0110］　上述した装着型装置はさらに、心電図(ECG)を感知するためのセンサ、筋電図(EMG)センサなどのような多様なセンサを含んでもよい。種々のタイプのセンサ、制御装置、表示装置、通信装置等の、種々のタイプの要素に取り付け、または装着型装置から分離される形状として実現されてもよい。あるいは、着用可能な装置は、バッグ形のモジュールとして実現され、ユーザが実行できるものとすることができる。）
サ．　Ｆｉｇ．１及びＦｉｇ．２
シ．　引用文献１に記載された「脳波」、「心電図」及び「筋電図」を測定するためのセンサは、いずれもユーザの状態を測定するものであるといえるから、「状態センサ」ということができ、「状態センサ」により測定されたデータを、「状態データ」ということができる。さらに、「脳波」、「心電図」及び「筋電図」のデータから、ユーザの健康状態を感知できることは明らかであるから、「状態データ」は、ユーザの健康状態を感知するセンサであるといえる。
ス．　上記摘記事項ケ．の［0103］には、「管理装置200」の「通信部210」が、「装着型装置」からの情報を無線にて受信する旨、記載されているから、「装着型装置」は、「管理装置200」に無線送信する「送信部」を備えたものであるといえる。
セ．　上記摘記事項サ．の「管理装置200は、通信部210と、制御部220と、記憶装置230とを備えている。」（［0102］）、及び、「ユーザが危険状態であると判定された場合、制御部220は、制御信号が警告メッセージと振動信号を生成し、通信部210を介して制御信号を装着型装置に送信する」（［0105］）という記載から、上記「警告メッセージ」は、ユーザの健康異常の発生を示す「異常データ」であるといえ、装着型装置は、「管理装置200」からの健康異常の発生を示す異常データを受信する受信部を備えたものであるといえる。
（２）　引用発明
　上記（１）の、摘記事項ア．〜コ．、サ．の図示、及び、認定事項シ．〜セ．を総合すると、引用文献１には、次の発明（以下「引用発明」という。）が記載されている。
「ユーザに装着されるオールインワンスーツであって、
　ユーザの脳波、心電図あるいは筋電図を感知する状態センサと、
　前記状態センサから出力される状態データを、前記ユーザに携帯される外部の管理装置200に無線送信する送信部と、を備え、
　上記状態データが、前記外部の管理装置200に送信され、
　前記状態センサは、前記ユーザの健康状態を感知するセンサであり、
　前記ユーザの健康状態を示す上記状態データが、前記外部の管理装置200に送信され、
　管理装置200は、前記状態データをＷｅｂサーバに送信し、
　受信部、及び出力装置170を備え、
　前記外部の管理装置200が、前記ユーザの健康状態を示す前記状態データに基づき、前記ユーザに健康異常が発生していると判断し
　健康異常の発生を示す異常データを前記外部の管理装置200から前記受信部に無線送信され、前記出力装置170が、健康異常の発生を報知するオールインワンスーツ。」
４．　対比・検討
（１）　対比
　本願発明と引用発明とを対比する。
　上記摘記事項サ．の「管理装置200は、第３者あるいは管理者に個々の作業員についての情報を提供することができる」ものであるから、引用発明の「ユーザ」は、本願発明の「作業員」に相当し、したがって、本願発明の「ユーザに装着されるオールインワンスーツ」は、本願発明の「作業員に装着される作業用スーツ」に相当する。
　引用発明の「状態センサ」及び「状態データ」は、本願発明の「状態センサー」及び「状態データ」に、それぞれ相当する。
　引用発明の「前記ユーザに携帯される外部の管理装置200」は、本願発明の「多機能携帯端末」に相当する。
　引用発明の「外部の管理装置200が、前記ユーザの健康状態を示す前記状態データに基づき、前記ユーザに健康異常が発生していると判断し」と、本願発明の「前記管理サーバーが、前記作業員の健康状態を示す前記状態データに基づき、前記作業員に健康異常が発生していると判断し、」とは、判断装置が、「前記従業員の健康状態を示す前記状態データに基づき、前記作業員に健康異常が発生していると判断し」を限度として一致する。
　引用発明の「Ｗｅｂサーバ」と本願発明の「管理サーバー」とは、両者とも「状態データ」を受信するサーバである限りにおいて一致する。
　引用発明の「受信部」及び「出力装置170」は、それぞれ本願発明の「受信部」及び「報知部」にそれぞれ相当する。
　そうすると、本願発明と引用発明との間には、以下の点で一致し、かつ、相違する。
＜一致点＞
「作業員に装着される作業用スーツであって、
　前記作業員の状態を感知する状態センサーと、
　前記状態センサーから出力される状態データを、前記作業員に携帯される多機能携帯端末に無線送信する送信部と、を備え、
　前記状態データが、前記多機能携帯端末に送信され、
　前記状態センサーは、前記作業員の健康状態を感知するセンサーであり、
　前記作業員の健康状態を示す前記状態データが、前記多機能携帯端末に送信され、
　受信部、及び、報知部を備え、
　状態データを受信するサーバを備え、
　前記判断装置が、前記作業員の健康状態を示す前記状態データに基づき、前記作業員に健康異常が発生していると判断し、健康異常の発生を示す異常データを前記多機能携帯端末が得た場合、
　前記異常データが前記多機能携帯端末から前記受信部に無線送信され、前記報知部が、健康異常の発生を報知する作業用スーツ。」
＜相違点１＞
　本願発明は、「判断装置」が「管理サーバー」であって、「状態データ」を「多機能携帯端末」を介して、「管理サーバー」に送信し、「多機能携帯端末」は、「管理サーバー」が「異常データ」を「多機能携帯端末」に送信することにより、「異常データ」を得るものであるのに対し、
　引用発明は、「判断装置」が「管理装置200」であって「多機能携帯端末」は、「管理装置200」が「健康異常が発生していると判断」したことにより「異常データ」を得るものであるが、Ｗｅｂサーバが、健康異常の発生を判断し、「異常データ」を「管理装置200」に送信しているか明らかではない点。
（２）　検討
　上記（１）に示した＜相違点１＞について検討する。
ア．　特許法第２９条第１項第３号（新規性）の拒絶理由について
　上記＜相違点１＞に係る本願発明の「管理サーバ」及び「多機能携帯端末」は、本願発明の「作業用スーツ」が備える「センサー」、「受信部」及び「報知部」とは異なり、いずれも本願発明の「作業用スーツ」自体を構成するものではないから、上記＜相違点１＞に係る本願発明の特定事項は、本願発明の「作業用スーツ」という物の発明の構成を特定するものではない。
　そして、引用発明の「オールインワンスーツ」が備える「受信部」は、本願発明の「作業用スーツ」の、「多機能携帯端末」からの「異常データ」を受信可能な「受信部」と、その機能作用が相違しないものであるから、＜相違点１＞は実質的な相違点であるとはいえない
　したがって、本願発明は引用発明であるから、特許法第２９条第１項第３号に規定された発明に該当するので、特許を受けることができない。
イ．　特許法第２９条第２項（進歩性）の拒絶理由について
　上記ア．に示したように上記＜相違点１＞は、実質的な相違点ではないが、仮に、実質的な相違点であるとして、以下のとおり検討する。
　引用発明の「管理装置200」が、「状態データ」を「Ｗｅｂサーバ」へ送信するのは、「第3者あるいは管理者に個々の情報を提供する」ためである（上記摘記事項ケ．の［0106］）。そして、当該「個々の情報」に接した「第3者あるいは管理者」は、「個々の情報」から、「ユーザ」の「異常」を迅速に察知し、現場に通報して、「ユーザ」に対して何らかの適切な対応をしたいと思うことは、明らかである。
　そして、引用文献１の上記摘記事項カ．の、
「［0055］通信部160は、各種外部装置400と通信する。具体的には、通信部160は、脳波の測定センサ110と環境情報センサ120の検出値を外部装置400に送信し、外部装置400からの各種信号を受信する。・・・
［0056］・・・ユーザが危険な状態にあるか否かは、制御部130によって、または外部装置400によって決定されてもよい。すなわち、制御部130は、脳波計測用センサ110の検出値と、環境情報センサ120の検出値、外部装置400から送信された制御信号等に基いて、振動子140および表示装置150の動作を制御する。・・・」という記載から、引用文献１には、検出した測定値を受信し、当該測定値に基いてユーザが危険な状態にあるか否か決定し、かつ、制御信号等を返信する「外部装置400」が記載されている。さらに、上記「外部装置400」のようにデータを受信し、当該データに基いて判断し、かつ、判断結果や制御信号を返信するというサービスが、外部装置400のコンピュータによって実行されていること、そして、「サーバ」とは、「ネットワーク上で他のコンピュータやソフト、すなわちクライアントにサービスを提供するコンピュータ−。」（「広辞苑　第六版」。）であることに鑑みれば、上記のような作用を奏する「外部装置400」はサーバであるといえる。
　そうすると、引用発明において上記＜相違点１＞に係る本願発明の構成を備えたものとすることは、「ユーザ」の「異常」を「状態データ」から迅速に察知し、現場に通報しようとして、「Ｗｅｂサーバ」の機能を奏するコンンピュータを、「前記ユーザの健康状態を示す前記状態データに基づき、前記ユーザに健康異常が発生していると判断し健康異常の発生を示す異常データを前記外部管理装置200から前記受信部に無線送信する、」とのサービスを行うコンピュータである引用文献１に記載された「外部装置400」としたものであるに過ぎず、当業者が容易になし得た事項である。
　また、本願発明が奏する作用及び効果も、当業者が予測し得る以上の格別なものであるとはいえない。
　よって、本願発明は、引用発明に基づいて、当業者が容易に発明をすることができたものであるから、特許法第２９条第２項の規定により特許を受けることができない。
第４　むすび
　以上のとおり、本願発明は、特許法第２９条第１項第３号の規定により、特許を受けることができない。
　また、本願発明は、特許法第２９条第２項の規定により特許を受けことができない。
　したがって、他の請求項に係る発明について検討するまでもなく、本願は拒絶されるべきものである。
　よって、結論のとおり審決する。